(57)【要約】【課題】簡易な構造でかつ安価な荷物の落下防止用のラック倉庫用パレットを提案する。【解決手段】間隔をあけて対向する左右一対の受桟２１，２１と、受桟２１を支持する前後一対の腕木２２，２２とを備えるラック２に対し、後端が後側の腕木２２よりも前側に位置するように載置されるラック倉庫用パレット１であって、各受桟２１の位置に対応して下向きに開口する一対の溝１４，１４が下面に形成されたパレット本体１０を有し、溝１４，１４は、下面に対する深さが一定で、かつ、受桟２１の幅よりも大きな幅を有している。【選択図】図１
2018002205.tif 000002
【特許請求の範囲】
【請求項１】
間隔をあけて対向する左右一対の受桟と前記受桟を支持する前後一対の腕木とを備えるラックに対し、後端が後側の前記腕木よりも前側に位置するように載置されるラック倉庫用パレットであって、
前記各受桟の位置に対応して下向きに開口する一対の溝が下面に形成されたパレット本体を有し、
前記溝は、前記下面に対する深さが一定で、かつ、前記受桟の幅よりも大きな幅を有していることを特徴とする、ラック倉庫用パレット。
【請求項２】
間隔をあけて対向する左右一対の受桟と前記受桟を支持する前後一対の腕木とを備えるラックに対し、前記前後一対の腕木に載置されるラック倉庫用パレットであって、
前記各受桟の位置に対応して下向きに開口する一対の溝が下面に形成されたパレット本体を有し、
前記溝は、前記下面に対する深さが一定で、かつ、前記本体部が地震力により前記ラックに対して左右にずれた場合であっても前記受桟の上方に位置し得る幅を有していることを特徴とする、ラック倉庫用パレット。
【発明の詳細な説明】
【技術分野】
【０００１】
本発明は、ラック倉庫用パレットに関する。
【背景技術】
【０００２】
パレットに載せた荷物を、並設された複数のラックに対して自動で出し入れする物流用自動ラック倉庫がある。
物流用自動ラック倉庫では、パレットを介して荷物がラックに載置されている。ラックには、平行な一対の受桟が他の部材を介設することなく間隔をあけて形成されている。荷物をラックに載置する際には、パレットを一対の受桟の上に載せる。こうすることで、パレットの下面にスタッカークレーンのフォークを挿入することが可能な空間が形成される。以下、本明細書では、このような物流用自動ラック倉庫を「ラック倉庫」と称する。
ラック倉庫に対して大きな水平力（地震力等）が作用すると、ラックに積載された荷物が落下するおそれがある。ラック倉庫内において荷物が落下すると、荷物そのものの損傷だけではなく、ラックや周辺機器等の損壊を引き起こす場合がある。
【０００３】
そのため、ラック倉庫内での荷物の落下防止を目的として、ラック倉庫の制振化または免震化を行う場合がある。
また、特許文献１には、受桟の前端部に落下防止部材を取り付けることで、前面側が後面側よりも高くなるようにパレットを傾斜させて、荷物がラックの前面側から落下することを防止する方法が開示されている。
また、特許文献２には、ラックの支持部材とパレットとの間に傾斜すべり支承を介設しておき、荷物に水平力等が作用した際に傾斜すべり支承上で荷物を滑動させることで、水平力等を吸収する制振構造が開示されている。
さらに、特許文献３には、内蔵された免震層によって水平方向の揺れを吸収することで荷物の落下を防止するパレットが開示されている。
【先行技術文献】
【特許文献】
【０００４】
【特許文献１】特開平１０−０２５００８号公報
【特許文献２】特開２０１４−２０１３８５号公報
【特許文献３】特開２０１５−０９８３３５号公報
【発明の概要】
【発明が解決しようとする課題】
【０００５】
建物（倉庫）自体を制振化または免震化する場合は、大規模な工事が必要となり、手間と費用がかかる。また、大規模なラック倉庫において、各ラックに特許文献１の落下防止部材を設置するには手間がかかる。また、複雑な構造を備える特許文献２の傾斜すべり支承を各ラックに設置するのは、設置の手間に加え、費用がかかる。さらに、免震層を備えたパレットも単価が高く、パレットが多数必要なラック倉庫に採用するには高価であった。
このような観点から、本発明は、荷物の落下防止機能を有する簡易かつ安価なラック倉庫用パレットを提案することを課題とする。
【課題を解決するための手段】
【０００６】
前記課題を解決するための第一の発明は、間隔をあけて対向する左右一対の受桟と前記受桟を支持する前後一対の腕木とを備えるラックに対し、後端が後側の前記腕木よりも前側に位置するように載置されるラック倉庫用パレットであって、前記各受桟の位置に対応して下向きに開口する一対の溝が下面に形成されたパレット本体を有し、前記溝は、前記下面に対する深さが一定で、かつ、前記受桟の幅よりも大きな幅を有していることを特徴としている。
かかるラック倉庫用パレットによれば、前側の腕木にパレット本体の下面が載置されるとともに、受桟の後部に溝の底面が載置されるため、パレット本体の上面は前側よりも後側が低くなるように傾斜する。そのため、パレット本体に上載された荷物がラックの前側（通路側）に落下することを防止できる。また、ラック倉庫用パレットは下面に一対の凹部（溝）が形成されたのみの簡易な構成のため、安価である。また、高価な免震装置や制震装置を多数設置する手間や費用を省略することができる。また、受桟が溝に挿入されることで、ラック倉庫用パレットと受桟とが係合した状態となるので、ラック倉庫用パレットの横方向の移動が抑制される。
なお、本明細書において「前」はラックのスタッカークレーン通路側、「後」は同通路の反対側とする。
【０００７】
また、第二の発明は、間隔をあけて対向する左右一対の受桟と前記受桟を支持する前後一対の腕木とを備えるラックに対し、前記前後一対の腕木に載置されるラック倉庫用パレットであって、前記各受桟の位置に対応して下向きに開口する一対の溝が下面に形成されたパレット本体を有し、前記溝は、前記下面に対する深さが一定で、かつ、前記パレット本体が地震力により前記ラックに対して左右にずれた場合であっても前記受桟の上方に位置し得る幅を有していることを特徴としている。
かかるラック倉庫用パレットによれば、地震力等の外力によってパレット本体がラックの前側に移動してパレット本体の後端が後側の腕木から外れると、前側の腕木にパレット本体の下面が載置されるとともに、受桟の後部に溝の底面が載置された状態になる。このとき、パレット本体の上面は、前側よりも後側が低くなるように傾斜するため、パレット本体に上載された荷物がラックの前側（通路側）に落下することを防止できる。また、ラック倉庫用パレットは下面に一対の凹部（溝）が形成されたのみの簡易な構成のため、安価である。また、高価な設備を多数設置する手間や費用を省略することができる。地震力によりラックが左右にずれた場合であっても受桟の上方に溝が位置し得るように、溝の幅が受桟の上面の幅に対して十分に大きいため、パレット本体が横方向にずれた後に前側に移動した場合であっても、受桟の後部に溝の底面が載置された状態になる。そのため、パレット本体の上面が傾斜して、荷物が落下し難くなる。
【発明の効果】
【０００８】
本発明のラック倉庫用パレットによれば、簡易かつ安価に、ラック倉庫内の荷物の落下を防止することが可能となる。
【図面の簡単な説明】
【０００９】
【図１】第一の実施形態に係るラック倉庫用パレットの使用状況を示す斜視図である。
【図２】ラック倉庫のラックであって、（ａ）は斜視図、（ｂ）は立面図、（ｃ）は平面図である。
【図３】（ａ）は各実施形態に係るラック倉庫用パレットを上面側から望む斜視図、（ｂ）は同下面側から望む斜視図である。
【図４】（ａ）は図１の（ａ）のＡ矢視図、（ｂ）は同Ｂ矢視図、（ｃ）は同Ｃ矢視図である。
【図５】（ａ）および（ｂ）は第二の実施形態に係るラック倉庫用パレットの使用状況を示す斜視図である。
【図６】（ａ）は図５（ａ）のＤ矢視図、（ｂ）は図５（ｂ）の同Ｅ矢視図、（ｃ）は同Ｆ矢視図、（ｄ）は同Ｇ矢視図である。
【発明を実施するための形態】
【００１０】
＜第一の実施形態＞
第一の実施形態のラック倉庫用パレット１は、図１に示すように、ラック倉庫用のラック２に載置される。
なお、本明細書において各方向（前後上下左右）は、図１に示す方向に統一する。また、本明細書において「前」はラック２のスタッカークレーン通路側、「後」は同通路の反対側とする。
【００１１】
ラック２は、間隔をあけて配設された左右一対の受枠２０，２０によりラック倉庫用パレット１を支持している。図２（ａ）に示すように、一対の受枠２０，２０は、間隔をあけて平行に配設されている。なお、受枠２０同士の間に形成された間隔には、スタッカークレーンのフォーク部をラック倉庫用パレット１の下面に挿入することが可能となるように、他の部材が介設されていない。
【００１２】
受枠２０は、前後一対の腕木２２，２２と、一対の腕木２２，２２の両端にそれぞれ配設された受桟２１，２１とにより枠状に形成されている。受桟２１および腕木２２の上面（ラック倉庫用パレット１が載置される面）は水平である。各腕木２２は、それぞれ異なるラック柱２３に固定されている。ラック柱２３は、腕木２２を支持する鉛直部材である。また、ラック柱２３は、受枠２０を上下に複数段支持している。本実施形態のラック柱２３は、腕木２２の長手方向中間部において腕木２２を支持している。ラック２の後側には背面ブレース（図示せず）が設置されている。背面ブレースは、後側に配設された左右のラック柱２３，２３に上端または下端が固定されている。
【００１３】
なお、ラック２の構成は、限定されるものではない。例えば、受桟２１と腕木２２は必ずしも枠状に組み合わされている必要はなく、例えば、一対の腕木２２，２２と一本の受桟２１によりコ字状に形成されていてもよい。また、各腕木２２は、２本以上のラック柱２３により支持されていてもよい。また、背面ブレースは、必ずしもラック柱２３に固定する必要はなく、例えば、受桟２１の後端部に固定してもよい。また、ラック２の背面側には、背面ブレースに代えて他の補強材または積荷落下防止部材が配設されていてもよい。
図２（ｂ）および（ｃ）に示すように、ラック倉庫用パレット１は、左右に隣り合うラック柱２３同士の間において、左右の受枠２０，２０に跨って載置される。すなわち、ラック倉庫用パレット１は、他の部材が介設されることなく間隔をあけて対向する左右一対の受桟２１，２１に上載される。
【００１４】
ラック倉庫用パレット１を構成する材料は、ラック倉庫用パレット１に上載される荷物に対して十分な強度を有していれば限定されるものではなく、例えば、木材、プラスチック等の樹脂材または金属を使用すればよい。
第一の実施形態のラック倉庫用パレット１は、図３（ａ）および（ｂ）に示すように、平面視矩形状で、互いに対向する面（下面１１と上面１２、前面と後面、左右の側面）が平行な直方体状のパレット本体１０により形成されている。すなわち、ラック倉庫用パレット１（パレット本体１０）は、水平な面（スラブ等）に載置した際に、上面１２が水平になるように構成されている。
【００１５】
パレット本体１０には、図１に示すように、フォークリフト爪を挿入可能な開口部１３，１３，…が形成されている。開口部１１は、パレット本体１０を前後方向または左右方向に貫通している。すなわち、パレット本体１０の前後左右の側面に、それぞれ開口部１３が形成されている。なお、開口部１３の形状等は限定されるものではなく、必ずしもパレット本体１０を貫通している必要はない。
パレット本体１０の下面１１には、ラック２の間隔をあけて対向する一対の受桟２１，２１の位置に対応して下向きに開口する一対の溝１４が形成されている。溝１４は、パレット本体１０の側面から間隔をあけた位置に形成されている。溝１４は、パレット本体１０の側面と平行で、かつ、溝１４の底面（上面）はパレット本体１０の下面１１および上面１２と平行である。すなわち、溝１４は、下面１１に対して、一定の深さにより形成されている。
【００１６】
一般的なラック倉庫用のラック２の受桟２１同士の内法寸法は７８０〜９００ｍｍ、外法寸法は８４０〜９６０ｍｍとされている。そのため、本実施形態では、ラック許容誤差を５ｍｍ（最小内法寸法＝７７５ｍｍ、最大外法寸法＝９６５ｍｍ）として、溝１４の寸法を決定するものとし、溝１４同士の間隔（左右の溝１４の内法寸法）を７７５ｍｍ、溝の幅を９５ｍｍとする。
また、本実施形態では、溝１４の深さを１０〜２０ｍｍの範囲内に設定した。こうすることで、ラック倉庫用パレット１をラック２に載置した際のパレット本体１０の上面１２の傾斜角度が１°程度になる。なお、溝１４の深さは１０〜２０ｍｍに限定されるものではなく、パレットの本体１０の上面１２の傾斜角度が０．５〜２°の範囲内、好ましくは０．５〜１°の範囲内になるように設定すればよい。
【００１７】
図４（ａ）に示すように、パレット本体１０の前後の長さは、受桟２１の前端から後側の腕木２２の前面までの距離よりも小さい。そのため、ラック倉庫用パレット１をラック２に載置すると、パレット本体１０の後端が後側の腕木よりも前側に位置する。その結果、パレット本体１０は、前側の腕木２２の上面に下面１２が載置されるとともに（図４（ｂ）参照）、溝１４の後端が受桟２１の後部に載置された状態となり（図４（ｃ）参照）、後側が前側よりも低くなるように上面１２が傾斜する。
【００１８】
本実施形態のラック倉庫用パレット１によれば、ラック２に載置するだけで後側が低くなるように上面１２が傾斜するため、ラック倉庫用パレット１に上載された荷物が、ラック倉庫用パレット１の前側にすべり出し難くなる。ゆえに、高価な制震装置や免震装置等をラック倉庫用パレット１に設置することなく、簡易かつ安価に、ラック倉庫内における荷物の落下を防止することができる。また、ラック２に対する制震化または免震化を省略あるいは簡略化することができる。
また、ラック倉庫用パレット１の下面１１は上面１２と平行なため、スタッカークレーンによってラック倉庫用パレット１を輸送しているときや、スラブ等の水平面にラック倉庫用パレット１を載置しているときには、ラック倉庫用パレット１の上面１３は水平となる。また、フォークリフトによる輸送時は、開口部１０，１０からフォークリフト爪を差し込むため、ラック倉庫用パレット１の上面１３を水平に維持することができる。
【００１９】
ラック倉庫用パレット１をラック２に載置すると、受桟２１がラック倉庫用パレット１の溝１４に挿入される。そのため、左右方向の水平力が作用した場合であっても、受桟２１と溝１４とが係合され、ラック倉庫用パレット１のラック２に対するずれを防止できる。
また、パレット本体１０は、前後方向の水平力が作用した場合であっても、後側の腕木２２にパレット本体１０の後端が接触することで、後方にずれることがない。また、ラック倉庫用パレット１に上載された荷物は、ラック２の背面ブレースによって後側に落下することが防止されている。
溝１４は、一定の深さであるため、前後の向きを気にすることなく、ラック倉庫用パレット１に荷物を上載させることができる。そのため、引当棚の向き（左右）を意識することなくラック倉庫用パレット１を自動搬送することが可能となり、向きを意識してラック倉庫用パレット１を配置する場合に比べて、作業時間を大幅に短縮することができる。
【００２０】
＜第二の実施形態＞
第二の実施形態のラック倉庫用パレット１は、図５に示すように、ラック倉庫用のラック２に載置される。なお、第二の実施形態で使用するラック２の詳細は、第一の実施形態で示した内容と同様なため、詳細な説明は省略する。
第二の実施形態のラック倉庫用パレット１は、図３（ａ）および（ｂ）に示すように、平面視矩形状で、互いに対向する面（下面１１と上面１２、前面と後面、左右の側面）が平行な直方体状のパレット本体１０により形成されている。
【００２１】
パレット本体１０の下面１１には、一対の受桟２１，２１の位置に対応して下向きに開口する一対の溝１４が形成されている。溝１４は、パレット本体１０の側面から間隔をあけた位置に形成されている。溝１４は、パレット本体１０の側面と平行で、かつ、溝１４の底面（上面）はパレット本体１０の下面１１および上面１２と平行である。すなわち、溝１４は、下面１１に対して、一定の深さにより形成されている。本実施形態では、溝１４同士の間隔（左右の溝１４の間の間隔）を７７５ｍｍ、溝の幅を９５ｍｍ、さらに、溝１４の深さを１０〜２０ｍｍの範囲内に設定した。
【００２２】
図６（ａ）に示すように、パレット本体１０の前後の長さは、前後に配設された腕木２２同士の間隔よりも大きい。そのため、ラック倉庫用パレット１をラック２に載置すると、パレット本体１０が前後一対の腕木２２，２２の上面に載置される。なお、溝１４の幅は、受桟２１の幅に対して十分に大きく、パレット本体１０が横方向（左右方向）にずれた場合であっても、このずれ幅を吸収し得る幅とする。すなわち、パレット本体１０が想定される地震力によって横方向にずれた場合であっても、受桟２１の全幅が上方の溝１４幅内に収まるように構成されている。
この他のパレット本体１０の詳細は、第一の実施形態で示したパレット本体１０と同様なため、詳細な説明は省略する。
【００２３】
ラック倉庫用パレット１をラック２に載置すると、パレット本体１０の上面１２は、受枠２０（受桟２１および腕木２２）の上面と平行（水平）となる。
ラック倉庫用パレット１に前後方向の水平力が作用し、ラック倉庫用パレット１が前側にずれると、図６（ｂ）に示すように、パレット本体１０の後端が後側の腕木２２の上面から落下する。その結果、パレット本体１０の下面１１が前側の腕木２２に載置されるとともに（図６（ｃ））、溝１４の後端が受桟２１の後部に載置された状態となるので（図６（ｄ））、ラック倉庫用パレット１の上面１２は後側が前側よりも低くなるように傾斜する。このとき、パレット本体１０の上面１２の傾斜角度は、０．５〜２°、好ましくは０．５〜１°を確保していればよい。
【００２４】
第二の実施形態のラック倉庫用パレット１によれば、前後方向の水平力が作用した際にパレット本体１０の後側が低くなるように上面１２が傾斜するため、ラック倉庫用パレット１に上載された荷物が、ラック倉庫用パレット１の前側にすべり出し難くなる。ゆえに、高価な制震装置や免震装置等をラック倉庫用パレット１に設置することなく、簡易かつ安価に、ラック倉庫内における荷物の落下を防止することができる。また、ラック２に対する制震化または免震化を省略あるいは簡略化することができる。
ラック倉庫用パレット１が前側にずれると、受桟２１がラック倉庫用パレット１の溝１４に挿入されるため、左右方向のずれが制限される。
【００２５】
ラック２に背面ブレースが設けられているため、前後方向の水平力が作用した際に、パレット本体１０の後側への移動が制限されている。そのため、ラック倉庫用パレット１が後側に移動しても前側の腕木２２からパレット本体１０が落下することはなく、したがって、前側が後側よりも低くなるようにパレット本体１０の上面１２が傾斜することもない。なお、背面ブレースが設置されていない場合、または、背面ブレースが設置されている場合であっても地震力によりパレット本体１０が後側に移動して前側の腕木２２から落下するおそれがある場合は、ストッパー等を設置して、パレット本体１０の後側への移動を制御する。
【００２６】
溝１４の幅が受桟２１の幅に対して十分に大きいため、地震力等によりパレット本体１０が左右のいずれかに移動した後に前側に移動した場合であっても、溝１４の後端が受桟２１の後部に載置された状態となる。そのため、パレット本体１０の後側が低くなるように上面１２が傾斜し、ラック倉庫用パレット１に上載された荷物が、ラック倉庫用パレット１の前側にすべり出し難くなる。
溝１４は、一定の深さであるため、前後の向きを気にすることなく、ラック倉庫用パレット１に荷物を上載させることができる。そのため、前後の向きを考慮して荷物を載せる場合に比べて、作業時間を大幅に短縮することができる。
【００２７】
以上、本発明に係る実施形態について説明した。しかし、本発明は、前述の実施形態に限られず、前記の各構成要素については、本発明の趣旨を逸脱しない範囲で、適宜変更が可能である。
前記各実施形態では、ラック倉庫用パレット１の下面１１および上面１２が平面を呈していたが、下面１１および上面１２は、板材を組み合わせることにより形成されたスノコ状であってもよいし、網状であってもよい。
溝１４の底面の材質をパレット本体１０の下面１１の材質と変えることにより、下面１１と溝１４の底面の摩擦係数を変えることができ、ラック２への載置時（溝１４の底面が受桟２１と接している状態）と輸送時あるいは搬送時のラック倉庫用パレット１の摩擦係数が変更可能となり、ひいては、輸送時のラック倉庫用パレット１を滑動しにくくするあるいはその逆も可能となる。
前記各実施形態では、パレット本体１０に下面１１に左右の側面と平行な一対の溝１４，１４が形成されている場合について説明したが、さらに、前面および後面と平行な一対の溝１４，１４（合計４本の溝１４，１４，…）が形成されていてもよい。このようにすれば、前後左右の向きを意識することなく、ラック倉庫用パレット１を自動搬送することができ、ひいては、さらなる作業の効率化を図ることができる。
【符号の説明】
【００２８】
１    ラック倉庫用パレット
１０  パレット本体
１１  下面
１２  上面
１３  開口
１４  溝
２    ラック
２０  受枠
２１  受桟
２２  腕木
２３  ラック柱
【図１】
2018002205.tif 000003
【図２】
2018002205.tif 000004
【図３】
2018002205.tif 000005
【図４】
2018002205.tif 000006
【図５】
2018002205.tif 000007
【図６】
2018002205.tif 000008